(57)【特許請求の範囲】
【請求項１】
個々の情報を識別するための識別情報、及び、当該情報を提供すべき日時または時刻の情報を含む情報が入力され、この情報を提供すべき受信端末のデータフォーマットに変換して、前記受信端末に提供する情報提供システムであって、
入力された前記識別情報、及び、前記提供すべき日時または時刻の情報を含む情報を記憶する情報記憶手段と、
前記識別情報、及び、当該情報を提供すべき日時または時刻の情報を含む情報が入力された時刻を計時する計時手段と、
前記情報記憶手段により記憶された提供すべき日時または時刻の情報と、前記計時手段が計時した時刻とを比較する時刻比較手段と、
前記提供すべき日時または時刻の情報と前記計時手段が計時した時刻との間隔に基づいて、前記情報記憶手段に既に記憶されている情報が更新可能か否かを判断する判断手段と、
前記判断手段により更新可能と判断されると、前記情報記憶手段に既に記憶されている情報を、前記入力手段から入力した情報に書き換えて更新する更新手段と、
前記更新手段によって更新された情報を、前記入力された提供すべき日時または時刻の情報にしたがって前記受信端末に提供する提供制御手段と、
を備えることを特徴とする情報提供システム。
【請求項２】
前記判断手段により更新不可能と判断されると、前記入力された情報について前記情報記憶手段に既に記憶されている情報に含まれる情報とは異なる識別情報を割り当てる識別情報割当手段と、
この識別情報割当手段により割り当てられた識別情報を、前記入力された情報とともに前記情報記憶手段に記憶させる記憶制御手段と、
をさらに備えることを特徴とする請求項１に記載の情報提供システム。
【請求項３】
個々の情報を識別するための識別情報、及び、当該情報を提供すべき日時または時刻の情報を外部から入力するステップと、
この入力ステップにより入力された前記識別情報、及び、前記提供すべき日時または時刻の情報を含む情報を含む前記情報を記憶装置に記憶する情報記憶ステップと、
前記識別情報、及び、当該情報を提供すべき日時または時刻の情報を含む情報が入力された時刻を計時する計時ステップと、
前記提供すべき日時または時刻の情報と前記計時手段が計時した時刻とを比較する時刻比較ステップと、
前記提供すべき日時または時刻の情報と前記計時手段が計時した時刻との間隔に基づいて、前記情報記憶手段に既に記憶されている情報が更新可能か否かを判断する判断ステップと、
この判断手段により更新可能と判断されると、前記情報記憶手段に既に記憶されている情報を、前記入力手段から入力した情報に書き換えて更新する更新ステップと、
前記更新ステップによって更新された情報を、前記入力された提供すべき日時または時刻の情報にしたがって前記受信端末に提供する提供ステップと、
を含むことを特徴とする提供情報管理方法。
【請求項４】
前記判断ステップにより更新不可能と判断されると、前記入力された情報について前記情報記憶手段に既に記憶されている情報に含まれる情報とは異なる識別情報を割り当てる識別情報割当ステップと、
前記識別情報割当ステップにより割り当てられた識別情報を、前記入力された情報とともに前記情報記憶ステップに記憶させる記憶制御ステップと、
をさらに含むことを特徴とする請求項３に記載の提供情報管理方法。
【発明の詳細な説明】
【０００１】
【発明の属する技術分野】
本発明は、ページングシステムや文字多重放送システムを利用して情報提供サービスを行う情報提供システム、及びページングシステムや文字多重放送システムにおいて送信又は放送する情報を管理するのに好適な提供情報管理方法に関する。
【０００２】
【従来の技術】
従来より、ページングシステムを用いて加入者を一斉に呼び出して、メッセージデータとして情報を送信することにより、該情報を提供する情報提供サービスが知られている。従来の情報提供サービスは、図２１に示すように、ページャ２１１と、ページングセンタ２１２と、送信局２１３と、公衆回線網２１４と、電話機２１５と、情報提供会社２１８と、から構成されている。
ページングセンタ２１２は、電話機２１５からの呼び出しに応じて送信局２１３からページャ２１１に呼び出し信号を送信すると共にダイレクトに接続された情報提供会社２１８から提供される情報を送信局２１３から半ば放送的に送信している。
【０００３】
又、従来のページングシステムに適用されている情報提供サービスは、株式情報、為替情報等、主に数値による情報がほとんどである。
しかし、ページャにカナ表示機能が付き、さらには、漢字表示機能の付いたページャも登場し、１回あたりに受信可能なデータ量も多くなったことから、情報提供サービスの内容も数字表示のみの情報から、カナ表示、さらには漢字表示主体の情報に切り替わりつつある。
【０００４】
さらに、近年、ページングサービスの利用者が、ビジネスマンから若年層に変化していることから、情報提供サービスの内容も、株式情報、為替情報等の定型的なものからコンサートチケット情報、レコード等の売り上げ情報、ショッピング情報、レストラン情報、地元の情報等、多様性に富んだミニコミ誌的な意味合いの強い情報に変化してきている。
【０００５】
しかし、この種の情報提供サービスにおいては、情報提供元によって情報の種類が異なっており、又、株式情報、為替情報等の定型的な数値による情報に比べて、メッセージデータへの加工や処理に手間がかかる。このため、ページングサービスの事業者側が、これらの処理を一括して第三者に委託するケースが増加しつつある。
【０００６】
したがって、図２２に示すように、情報提供会社２１８とページングセンタ２１２との間に情報加工エンジン２１６を接続し、情報加工エンジン２１６によって情報提供会社２１８から提供された情報を加工・管理するページングシステムが実現されている。
【０００７】
このページングシステムにおいては、例えば、イベント会社、出版社などの情報提供会社２１８から情報加工エンジン２１６に加入者に提供すべき情報が既存の通信回線を介して提供される。
情報加工エンジン２１６は、この情報を、当該ページングサービスで使用され、ページャ２１１が解析できるコンテンツ（１乃至複数のメッセージデータからなるもの）の形態に加工し、送信スケジュールに従い予め情報提供サービスの提供契約を交わしている加入者の所有するページャ２１１のグループ呼出用の呼出番号（グループ呼出番号）と共にページングセンタ２１２へ一括して出力する。ページングセンタ２１２は、送信局２１３からページャ２１１にグループ呼出番号を送信すると共にコンテンツを送信している。
【０００８】
【発明が解決しようとする課題】
このようなページングシステムにおいて、情報提供会社２１８から情報加工エンジン２１６に送られた情報のページャ２１１が解析できるコンテンツ（メッセージデータの形態）への加工は、情報加工エンジン２１６のオペレータがキーボードなどの入力装置を操作することによって行っていた。従って、情報提供会社２１８は、ページャ２１１へコンテンツの送信を希望する日時となる前に、オペレータによる情報加工の手間を考えて、時間的な余裕をもって情報を送信しなければならなかった。
【０００９】
また、情報提供会社２１８から提供を一旦依頼した情報については、訂正を指示すると情報加工エンジン２１６のオペレータに非常に負担がかかることになっていた。また、情報加工エンジン２１６からページングセンタ２１２へのコンテンツの送信スケジュールに支障をきたすため、情報の訂正が必要の場合には、井戸情報に対応するコンテンツの送信をキャンセルしてもらい、改めて訂正した情報を提供するか、一旦情報に対応するコンテンツが送信された後に改めて訂正した情報を提供するしかなかった。すなわち、従来のページングシステムにおいて提供される情報は、一旦情報提供会社２１８からこの情報に対応するコンテンツの提供を依頼するとその後の情報の訂正が非常に困難であった。
【００１０】
本発明は、上記従来技術の問題点を解消するためになされたものであり、オペレータに負荷をかけることなく、可能な限り情報の内容の訂正が可能な情報提供システム、及び、提供情報管理方法を提供することを目的とする。
【００１１】
【課題を解決するための手段】
上記目的を達成するため、本発明の第１の観点にかかる情報提供システムは、
個々の情報を識別するための識別情報、及び、当該情報を提供すべき日時または時刻の情報を含む情報が入力され、この情報を提供すべき受信端末のデータフォーマットに変換して、前記受信端末に提供する情報提供システムであって、
入力された前記識別情報、及び、前記提供すべき日時または時刻の情報を含む情報を記憶する情報記憶手段と、
前記識別情報、及び、当該情報を提供すべき日時または時刻の情報を含む情報が入力された時刻を計時する計時手段と、
前記情報記憶手段により記憶された提供すべき日時または時刻の情報と、前記計時手段が計時した時刻とを比較する時刻比較手段と、
前記提供すべき日時または時刻の情報と前記計時手段が計時した時刻との間隔に基づいて、前記情報記憶手段に既に記憶されている情報が更新可能か否かを判断する判断手段と、
前記判断手段により更新可能と判断されると、前記情報記憶手段に既に記憶されている情報を、前記入力手段から入力した情報に書き換えて更新する更新手段と、
前記更新手段によって更新された情報を、前記入力された提供すべき日時または時刻の情報にしたがって前記受信端末に提供する提供制御手段と、
を備えることを特徴とする。
【００１２】
前記情報提供システムは、
前記判断手段により更新不可能と判断されると、前記入力された情報について前記情報記憶手段に既に記憶されている情報に含まれる情報とは異なる識別情報を割り当てる識別情報割当手段と、
この識別情報割当手段により割り当てられた識別情報を、前記入力された情報とともに前記情報記憶手段に記憶させる記憶制御手段と、
をさらに備えることを特徴とする情報提供システムであってもよい。
【００１５】
上記目的を達成するため、本発明の第２の観点にかかる提供情報管理方法は、
個々の情報を識別するための識別情報、及び、当該情報を提供すべき日時または時刻の情報を外部から入力するステップと、
この入力ステップにより入力された前記識別情報、及び、前記提供すべき日時または時刻の情報を含む情報を含む前記情報を記憶装置に記憶する情報記憶ステップと、
前記識別情報、及び、当該情報を提供すべき日時または時刻の情報を含む情報が入力された時刻を計時する計時ステップと、
前記提供すべき日時または時刻の情報と前記計時手段が計時した時刻とを比較する時刻比較ステップと、
前記提供すべき日時または時刻の情報と前記計時手段が計時した時刻との間隔に基づいて、前記情報記憶手段に既に記憶されている情報が更新可能か否かを判断する判断ステップと、
この判断手段により更新可能と判断されると、前記情報記憶手段に既に記憶されている情報を、前記入力手段から入力した情報に書き換えて更新する更新ステップと、
前記更新ステップによって更新された情報を、前記入力された提供すべき日時または時刻の情報にしたがって前記受信端末に提供する提供ステップと、
を含むことを特徴とする。
【００１６】
前記提供情報管理方法は、
前記判断ステップにより更新不可能と判断されると、前記入力された情報について前記情報記憶手段に既に記憶されている情報に含まれる情報とは異なる識別情報を割り当てる識別情報割当ステップと、
前記識別情報割当ステップにより割り当てられた識別情報を、前記入力された情報とともに前記情報記憶ステップに記憶させる記憶制御ステップと、
をさらに含むことを特徴とする提供情報管理方法であってもよい。
【００１７】
このような構成を加えた場合には、例えば、前記入力手段から情報が入力されたときに情報の提供時刻まで余裕があり、実質的に情報の更新が可能な場合にのみ、前記情報記憶手段に記憶させる情報を更新（訂正）させる。
そして、情報の提供時刻まで余裕がなく実質的に情報の更新が不可能な場合には、前記識別情報割当手段及び前記記憶制御手段によって、入力した情報を実質的に新たな情報として前記情報記憶手段に記憶させる。このため、この情報は、訂正の情報として前記受信端末に改めて提供することが可能となる。
【００２０】
この提供情報管理方法では、入力された情報に含まれる提供すべき日時または時刻の情報が入力された時刻を計時して、その時刻と前記記憶装置に既に記憶されている提供すべき日時または時刻の情報とを比較して、既にい臆されている情報が更新可能か否かを判断し、前記記憶装置に記憶された情報を更新する。このため、入力された情報が既に記憶されている情報の訂正の情報であった場合に、オペレータの手を介さなくても前記メモリに記憶する情報の更新、すなわち情報の前記受信端末に提供する情報の訂正が可能になり、且つ、入力された提供すべき日時または時刻の情報にしたがって受信端末に提供することが可能になる。
【００２１】
【発明の実施の形態】
以下、添付図面を参照して、本発明の実施の形態について説明する。
この実施の形態では、本発明をページングシステムに適用した場合を例にして説明する。
【００２２】
図１は、この実施の形態のページングシステムの構成の一例を模式的に示す図である。
図示するように、このページングシステムは、複数のページャ１１（Ａ〜Ｉ）と、これらページャ１１（Ａ〜Ｉ）を呼び出すと共にメッセージデータを送信するページングセンタ１２と、ページングセンタ１２からのアドレスデータ及びメッセージデータを電波信号に変換して送信する送信局１３と、公衆回線網１４を介してページングセンタ１２に接続された電話機１５と、情報提供会社１８Ａ〜１８Ｃから提供される情報を加工してコンテンツを作成する情報加工エンジン１６と、情報提供会社１８Ａ〜１８Ｃから提供された情報及び情報加工エンジン１６により加工された情報（コンテンツ）を記憶するデータベース１７と、情報加工エンジン１６に情報を提供する複数の情報提供会社１８Ａ〜１８Ｃとより構成されている。ページングセンタ１２と情報加工エンジン１６とは専用パケット回線１９により接続されている。
【００２３】
ページングセンタ１２は、ページャ１１を呼び出すと共に呼び出したページャ１１にメッセージデータを送信するものである。
ページングセンタ１２は、図２に示すように、入出力回路３１、切替部３２、呼出番号照合部３３、加入者メモリ３４、音声応答回路３５、送信データメモリ３６、制御部３７、メッセージレジスタ３８、ベクトルレジスタ３９、アドレスレジスタ４０、送信処理制御部４１、フレーム／ブロック情報記憶用メモリ４２、時刻計時部４３から構成されている。
【００２４】
図２において、入出力回路３１は、公衆回線網１４を介して電話機１５等から供給される呼出対象となるページャ１１の呼出番号及びメッセージ情報を入力すると共に音声応答回路３５からの音声によるアナウンスを公衆回線網１４を介して電話機１５に対して出力（応答）する。
【００２５】
切換部３２は、入出力回路３１に接続されており、入出力回路３１から入力されたデータのうち、呼出番号を呼出番号照合部３３に出力し、メッセージ情報を制御部３７に出力する。
呼出番号照合部３３は、切換部３２から供給された呼出番号と加入者メモリ３４に予め登録されている呼出番号とを比較して、一致したか否かを判定する。
【００２６】
加入者メモリ３４は、図３に示すように、加入者名と、該加入者に関する個人情報と、各加入者が所持するページャ（型番）と、個別呼出番号と、個別呼出用のパスワード、アドレスデータが送信されるフレームのフレームＮｏ．、及びアドレスデータ（２１ビット）と、グループ呼出番号と、グループ呼出用のパスワード、グループアドレスデータが送信されるフレームのフレームＮｏ．、及びグループアドレスデータ（２１ビット）とを関連付けて記憶する。
【００２７】
加入者メモリ３４を図３に示す構成とすることにより、例えば、電話機１５から個別呼出番号「００−００００−００００」が発呼された場合には、この呼び出しは、ページングセンタ１２に着呼し、アドレスデータ「＃Ａ」に変換され、このアドレスデータが割り付けられたページャ１１ＡにフレームＮｏ．１で送信される。
【００２８】
また、例えば、個別呼出番号「１１−１１１１−１１１１」が発呼された場合には、パスワードが設定されているため、このパスワードが入力された場合のみ、呼出番号がアドレス「＃Ｂ」に変換され、このアドレスが割り付けられたページャ１１ＢにフレームＮｏ．１５で送信される。
【００２９】
また、グループ呼出番号「１１−２２２２−３３３３」が発呼され、パスワード「０１２３」が入力されると、呼出番号がアドレス「＃Ｘ」に変換され、このアドレスが割り付けられたページャ１１Ａ，１１Ｂ，１１ＣにフレームＮｏ．３０で一斉送信される。
【００３０】
図２において、音声応答回路３５は、入出力回路３１に接続され、制御部３７の制御に従って、音声によるアナウンスを生成し、入出力回路３１を介して公衆回線網１４によって回線接続された発呼者（電話機１５）に音声で応答する。
【００３１】
送信データメモリ３６は、情報加工エンジン１６から一括送信されるグループ呼出番号と送信一回分のコンテンツとを一組として複数組記憶する。
【００３２】
制御部３７は、ページングセンタ１２全体の動作を制御すると共に、電話機１５からの呼び出し要求に応じてページャ１１を呼び出す一連のページング処理を制御する。また、制御部３７は、情報加工エンジン１６と専用パケット回線１９で接続されており、情報加工エンジン１６から専用パケット回線１９を介して送られてくるグループ呼出番号とコンテンツとに応じて、これらを送信データメモリ３６に一度格納し、その後、当該グループ呼出番号に対応するグループアドレスにより指定されたページャ１１にコンテンツを一括して送信するためのページング処理を制御する。
【００３３】
メッセージレジスタ３８は、ページャ１１に送信するメッセージデータを制御部３７から受け取って格納すると共に、そのメッセージデータを送信処理制御部４１に出力する。メッセージレジスタ３８に格納されたメッセージデータは、後述する送信フレームのメッセージフィールド（ＭＦ）Ｃ７に設定される。
【００３４】
ベクトルレジスタ３９は、送信するメッセージデータの形態を特徴付けるデータ、例えば、メッセージが数字のみを示すデータ形態であるか、もしくは漢字と仮名が混じったメッセージの表示を示すデータ形態であるか、又、上記メッセージフィールド（ＭＦ）Ｃ７において、当該メッセージデータがどこから始まり、どのくらいのデータ長なのか等を示すベクトルデータを格納すると共に、そのベクトルデータを送信処理制御部４１に出力する。
【００３５】
アドレスレジスタ４０は、呼び出すページャの識別情報であるアドレスデータ及びフレームＮｏ．データを制御部３７から受け取って記憶すると共に、その情報を送信処理制御部４１に出力する。アドレスレジスタ４０に格納されたアドレスデータ及びフレームＮｏ．データはそれぞれ後述する送信フレームのアドレスフィールド（ＡＦ）Ｃ５、フレーム情報（ＦＩ）Ｃ２に格納される。
【００３６】
送信処理制御部４１は、メッセージレジスタ３８、ベクトルレジスタ３９及びアドレスレジスタ４０に接続され、メッセージデータ、ベクトルデータ、アドレスデータ及びフレームＮｏ．データ等のデータを取り出し、後述の高度無線呼出方式ＲＣＲ−ＳＴＤ４３標準規格で定義されたデータ形式に分離、多重化処理（インタリーブ処理）して送信データを形成すると共に、制御部３７の制御に従ってこの送信データを送信局１３に出力する。
【００３７】
フレーム／ブロック情報記憶用メモリ４２は、制御部３７により、送信フレームのフレーム情報（Ｆ１）Ｃ２、及びブロック情報（ＢＩ）Ｃ４を設定するための設定情報を記憶するメモリであり、送信するフレームデータのサイクルＮｏ．、フレームＮｏ．及び送信データに基づきアドレスフィールド（ＡＦ）Ｃ５及びベクトルフィールド（ＶＦ）Ｃ６の起点となるワード番号等の情報が格納される。また、アドレスデータは、エラーコードビットを含んで３２ビット（ショート）と６４ビット（ロング）の２種類があり、これらアドレスデータのビット数によって、ベクトルフィールド（ＶＦ）Ｃ６とメッセージフィールド（ＭＦ）Ｃ７の先頭アドレスが異なる。このため、これらのフィールドの先頭位置を指示する。
【００３８】
時刻計時部４３は、現在時刻を計時し、記憶する。
【００３９】
次に、上記構成のページングセンタ１２から送信局１３に送られるデータのフォーマットについて説明する。
【００４０】
このページングシステムは、「ＲＣＲ−ＳＴＤ４３標準規格」（以下、ＳＴＤ−４３と称する）に準拠する。この規格で採用されるデータ構成を図４（Ａ）〜（Ｄ）に示す。図４（Ａ）は、１時間周期で送信されるデータの構成、（Ｂ）は（Ａ）における１サイクルの構成、（Ｃ）は１サイクル中の１フレームの構成、そして、（Ｄ）は１フレームのブロック構成を示している。
【００４１】
図４（Ａ）に示すように、１時間当たりに送信されるデータは、“Ｎｏ．０”から“Ｎｏ．１４”までの番号が付けられた１５個のサイクルよりなる。各サイクルは、図４（Ｂ）に示すように、“Ｎｏ．０”から“Ｎｏ．１２７”までの番号が付けられた１２８個のフレームよりなり、４分周期で送信される。そして１フレームの送信時間は、１．８７５秒である。
【００４２】
図４（Ｃ）及び（Ｄ）に示すように、各フレームはその内容に応じて、大きく分けて同期信号部Ｄ１とインタリーブブロック部Ｄ２とに分かれる。
同期信号部Ｄ１は、先頭部より、同期部１（Ｓ１）Ｃ１、フレーム情報（ＦＩ）Ｃ２、同期部２（Ｓ２）Ｃ３からなり、１１５ミリ秒で送信される。
また、インタリーブブロック部Ｄ２は、１１ブロックで構成され、先頭より１ブロック乃至数ブロック単位でブロック情報（ＢＩ）Ｃ４、アドレスフィールド（ＡＦ）Ｃ５、ベクトルフィールド（ＶＦ）Ｃ６、メッセージフィールド（ＭＦ）Ｃ７、及びアイドルブロック（ＩＢ）Ｃ８の５種類のデータが設定される。そして、１ブロックにつき１６０ミリ秒で送信される。
【００４３】
同期部１（Ｓ１）Ｃ１は、２値ＦＳＫ変調された１６００ＢＰＳの１１２ビットから構成され、当該フレームの受信タイミングや１６００ＢＰＳシンボルデータの受信タイミング、及びインタリーブブロック部Ｄ２が、以下の４種類のフレームタイプのうちどのフレームタイプでインタリーブされているか、その送信形態を示す情報が含まれている。
Ｉ ．２値ＦＳＫ変調／１６００ＢＰＳ
II  ．２値ＦＳＫ変調／３２００ＢＰＳ
III  ．４値ＦＳＫ変調／３２００ＢＰＳ
IV  ．４値ＦＳＫ変調／６４００ＢＰＳ
【００４４】
フレーム情報（ＦＩ）Ｃ２は、２値ＦＳＫ変調された１６００ＢＰＳの３２ビットで構成され、図４（Ａ）に示すデータ構成において本フレームが属するサイクルのＮｏ．データ（４ビット）、そしてこのサイクルＮｏ．において、本フレームが属するフレームのＮｏ．データ（７ビット）、及び複数回送信表示、及びその送信回数を規定する情報が格納される。
【００４５】
同期部２（Ｓ２）Ｃ３、及びブロック情報（ＢＩ）Ｃ４からアイドルブロック（ＩＢ）Ｃ８までのインタリーブブロック部Ｄ２は、同期部１（Ｓ１）Ｃ１で規定されたフレームタイプで送信されるデータである。同期部２（Ｓ２）Ｃ３は同期部１（Ｓ１）Ｃ１で規定された変調方式及び伝送速度で送信されるインタリーブブロック部Ｄ２に対し、呼び出されたページャが取り込めるようにタイミング情報を与えるブロックである。
【００４６】
ブロック情報（ＢＩ）Ｃ４は、インタリーブブロック部Ｄ２のブロック＃０にあるデータであり、本フィールドが終了し、後述のアドレスフィールド（ＡＦ）Ｃ５の開始点となるワード番号（２ビット）、及びベクトルフィールド（ＶＦ）Ｃ６の開始点となるワード番号（６ビット）等の情報等を格納するブロック情報１と、フレームＮｏ．が０の時はサイマルキャストシステムＩＤ、カレンダー、実時間情報、タイムゾーン、及びシステムメッセージが格納されるブロック情報２、３、４とを含む。
【００４７】
アドレスフィールド（ＡＦ）Ｃ５は、発呼先のページャ１１のアドレスデータを格納するフィールドであり、エラーコードビットを含んで、ショートアドレスデータ（３２ビット）、又はロングアドレスデータ（６４ビット）を格納する。
【００４８】
ベクトルフィールド（ＶＦ）Ｃ６は、アドレスフィールド（ＡＦ）Ｃ５と対を成して設定されるもので、後述のメッセージフィールド（ＭＦ）Ｃ７において自己宛てのメッセージデータが開始されるワード番号、及び自己メッセージデータのデータ長を示すワード数、及び自己メッセージデータのデータ形態等の情報を格納するフィールドである。メッセージフィールド（ＭＦ）Ｃ７は、ベクトルフィールド（ＶＦ）Ｃ６で規定された情報に応じたメッセージデータ、及びコンテンツを格納するフィールドである。そして、アイドルブロック（ＩＢ）Ｃ８は、未使用ブロックであり、ここには“１”又は“０”のパターンがセットされる。
【００４９】
送信局１３は、上述のフォーマットで送信されてくるデータのうち、図４（Ｄ）に示す同期信号部Ｄ１については送信処理データをそのまま、又、インタリーブブロック部Ｄ２についてはインタリーブ処理を施し、さらに、これらを同期部１（Ｓ１）で規定されたフレームタイプで周波数変調して無線送信する。
【００５０】
次に、送信局から送信されてくる無線信号を受信するページャ１１について説明する。
ページャ１１は、上述のアドレスデータにより呼び出され、メッセージデータを受信するものであり、図５に示すように、アンテナ５１と、受信部５２と、デコーダ５３と、ＣＰＵ５４と、バッファメモリ５５と、デインターリーブ回路５６と、ＢＣＨデコーダ５７と、ＩＤ−ＲＯＭ５８と、ＲＯＭ５９と、ＲＡＭ６０と、送信データメモリ６１と、ドライバ６２、６４と、表示部６３と、ＬＥＤ６５と、送信バッファ６６と、Ｄ／Ａ変換部６７と、アンプ６８と、スピーカ６９と、キー入力部７０とを備えている。
【００５１】
アンテナ５１は、送信局１３から図４を参照して前述した送信フォーマットで送信されてくる１フレームのデータを受信して受信部５２に出力する。
【００５２】
受信部５２は、デコーダ５３に接続され、デコーダ５３からの制御信号に基づいて動作し、受信データを復調する。受信部５２は、同期部１（Ｓ１）Ｃ１を取り込むことによって変調方式（I〜IV）を判別し、判別した変調方式に従って受信データを復調し、シリアルのビットデータを出力する。
【００５３】
デコーダ５３は、初期設定の際にＣＰＵ５４から出力された制御データや、受信された同期信号部Ｄ１に含まれているフレームタイプデータのうち、変調方式に関するデータや伝送速度に関するデータに基づいてＣＰＵ５４により制御される。
【００５４】
ＣＰＵ５４は、受信処理等のタイミングを調整するために使用されるクロックを発生させるクロックジェネレーター等を具備し、受信データとクロックとに従って、バスＢを介して結合されている各回路部を制御する。
【００５５】
バッファメモリ５５は、同期部１（Ｓ１）Ｃ１より読み出したフレームパターン、フレーム情報（ＦＩ）Ｃ２より読み出したデータ（サイクルＮｏ．、フレームＮｏ．、複数回送信の回数）、ブロック情報（ＢＩ）Ｃ４、及び、ベクトルフィールド（ＶＦ）Ｃ５より読み出したデータ（アドレスフィールド（ＡＦ）、ベクトルフィールド（ＶＦ）、メッセージフィールド（ＭＦ）における自己のメッセージデータ及びコンテンツの開始ワード番号やメッセージデータ及びコンテンツのワード数）等をブロック単位で１フレーム分格納する。また、バッファメモリ５５は、インタリーブ回復処理、誤り訂正処理、或いはアドレス照合の際のワークエリアとして使用される。
【００５６】
デインターリーブ回路５６は、バッファメモリ５５に格納された３２００ＢＰＳ（２値）、３２００ＢＰＳ（４値）、もしくは６４００ＢＰＳ（４値）の各データ１ブロックについて、それぞれのフレームパターンに応じて、多重化された１フレームのデータをフェーズ毎に分離して復元（インタリーブ回復）する回路である。
【００５７】
ＢＣＨデコーダ５７は、デインターリーブ回路５６で復元処理された各ブロックデータに含まれる１０ビットのＢＣＨ符号と偶数パリティビットを用いて、誤り訂正を施す。
【００５８】
ＩＤ−ＲＯＭ５８は、自機ページャ１１に割り付けられている個別アドレス及びグループアドレス、及びその個別アドレスやグループアドレスに対応するフレームＮｏ．等の個別呼出情報を記憶している。
【００５９】
ＲＯＭ５９は、ＣＰＵ５４を動作させるための各種プログラムを記憶している。
ＲＡＭ６０は、ＣＰＵ５４が動作するためのワークエリアと、受信したメッセージデータ及びコンテンツの格納処理に使用するメモリエリアとを具備している。
【００６０】
送信データメモリ６１は予め作成されたメッセージデータ等を記憶する為のメモリである。送信データメモリ６１は、受信したメッセージデータを複数（例えば、３０）記憶するための記憶エリアを有する。
【００６１】
表示部６３は、例えば、液晶パネル等から構成され、ドライバ６２によって駆動されることでメッセージデータを解析して復元処理したメッセージ等の表示情報を表示する。
【００６２】
ドライバ６４は、このページャ１１が発信する呼出番号、メッセージ情報等をＤＴＭＦ信号で送信するため、または当該ページャ１１への呼出を報知するため、アンプ６８やＬＥＤ５を駆動する回路である。
ＬＥＤ６５は、ドライバ６４がアンプ６８を駆動している間、点灯して、ＤＴＭＦ信号を送信中であることを報知する。
送信バッファ６６は、実際に送信されるデータを一時的に格納するメモリエリアである。
Ｄ／Ａ変換部６７は送信バッファ６６に格納されたデジタルデータをアナログ信号に変換する回路部である。
アンプ６８は、ドライバ６４により駆動され、Ｄ／Ａ変換部６７により変換されたアナログ信号を音声信号（ＤＴＭＦ信号）に変換し、スピーカ６９から放音する。
【００６３】
次に、情報加工エンジン１６とデータベース１７について説明する。
情報加工エンジン１６は、情報提供会社１８Ａ〜１８Ｃから提供される情報を、ページャ１１が受信及び表示できるコンテンツ（１乃至複数のメッセージデータより構成されるもの）に加工・分割（編集）するとともにグループ呼出番号とこの情報より加工されたコンテンツとをページングセンタ１２に送信するネットワークサーバをメインフレームとしたアーキテクチャで構成されている。
【００６４】
この情報加工エンジン１６は、図６に示すように、外部データ入力部８１と、操作部８２と、制御部８３と、メモリ８４と、送信処理部８５と、時刻計時部８６と、表示部８８とを備える。
【００６５】
外部データ入力部８１は、情報提供会社１８Ａ〜１８Ｃより提供される情報を入力する。外部データ入力部８１は、情報提供会社１８Ａ〜１８Ｃから情報が入力されると、制御部８３に対して割り込みを要求し、制御部８３に後述するフローチャートに示すプログラムを実行させる。
【００６６】
操作部８２は、キーボード、マウス等の入力デバイスで構成されている。表示部８８は入力された情報を表示するディスプレイモニタ等で構成され、データ、指示等を入力及び表示する。
【００６７】
制御部８３は、ＭＰＵ等から構成され、後述するフローチャートに示すプログラムなどのメモリ８４に格納されたプログラムに従って動作し、情報を検索及び加工し、この加工された情報、すなわちコンテンツをグループ呼出番号とともにページングセンター１２に送信する。
メモリ８４は、ＲＡＭ、ハードディスク装置などから構成され、制御部８３の動作プログラム、例えば、システム全体の動作を制御するためのシステムプログラム、送信すべきコンテンツを検索して抽出するための検索プログラムなどを記憶すると共に制御部８３のワークエリアとして機能する。
送信処理部８５は、ページャ１１に送信するデータ（グループ呼出番号及びコンテンツ）が書き込まれる送信バッファを備え、送信バッファに書き込まれたデータをページングセンタ１２に送信する。
時刻計時部８６は、現在時刻を計時し、記憶する。
【００６８】
情報提供会社１８Ａ〜１８Ｃから情報加工エンジン１６に送られる情報は、例えば、パケットデータであり、図７に示すように、情報Ｘ１と、コメントデータＸ２と、識別情報Ｘ３とから構成される。
【００６９】
情報Ｘ１は、ページャ１１（Ａ〜Ｉ）に提供する情報からなるもので、情報加工エンジン１６によりページャ１１（Ａ〜Ｉ）が１回に受信可能なデータ長、すなわち図４（Ｃ）のメッセージフィールド（ＭＦ）Ｃ７に入れることが可能なデータ長の１または複数のメッセージデータに編集・加工・分割されることによりコンテンツに加工され、データベース１７のコンテンツファイルＦ４に格納・管理される。
【００７０】
コメントデータＸ２は、図８に示すように、情報Ｘ１のコンテンツ名、その番号（コンテンツ番号）、情報Ｘ１から加工したコンテンツをページャ１１（Ａ〜Ｉ）に送信する期限（送信期限）、送信希望日付（送信指定日）、送信希望時刻（送信指定時刻）、送信エリア、後述するＧ−ＩＤマスタファイルＦ２のコメント欄の内容で特定できる送信対象やキーワード等のデータ、さらには、情報Ｘ１に何度訂正があったかのバージョン情報を示す訂正情報を、それぞれ「００」〜「０６」までの識別番号を先頭部につけたものからなる。
また、コメントデータＸ２自体もコンテンツファイルＦ４に格納される。
【００７１】
識別情報Ｘ３は、情報Ｘ１を提供する情報提供会社を識別するものであり、例えば、情報提供会社１８Ａには「Ａ＃」が、情報提供会社１８Ｂには「Ｂ＃」が、情報提供会社１８Ｃには「Ｃ＃」が割り当てられている。
なお、情報Ｘ１と、コメントデータＸ２と、識別情報Ｘ３との順番は図７に示す順番に限るものではなく、またコメントデータＸ２についても「００」〜「０６」まで全てのデータがそろっていなくても良い。
【００７２】
一方、データベース１７は、情報加工エンジン１６の一種の外部記憶装置として構成されており、図６に示すように、バッファ領域８７、会員マスタファイルＦ１、グループマスタファイルＦ２、送信スケジュールファイルＦ３、コンテンツファイルＦ４、ログファイルＦ５、及び識別情報テーブルＦ６とを備える。
バッファ領域８７は、情報提供会社１８（Ａ〜Ｃ）から提供され、外部データ入力部８１から入力した情報を一時的に蓄える。
【００７３】
次に、データベース１７内の各ファイルの構成を説明する。
会員マスタファイルＦ１のファイル構成は、図９に示すように、このページングシステムによる情報提供サービスにを契約した契約者（以下会員と称する。）全員に関して、「会員番号」、「会員氏名」、「住所」、「電話」、「年齢」、「性別」、「端末種別」、１又は複数の「Ｇ−ＩＤ」、「有効期限」等の情報を格納する。
【００７４】
「会員番号」は、ファイル管理の為に、操作者が任意に設定できるユニーク番号である。「会員氏名」は、会員の氏名・名称である。「住所」は、会員の住所である。「電話番号」は、会員の連絡先の電話番号である。「年齢」は、会員の年齢である。「性別」は、会員の性別であり、「１」は男性、「２」は女性として「１」又は「２」の数値データが設定される。「端末種別」は、会員が使用している端末（ページャ）の性能や種別、例えば、ページングタイプが文字及び数字を表示できるインフォメーションページャであれば「１」、数字、もしくはフリーワードメッセージを表示できるニューメリックページャであれば「２」というふうに数値データで設定される。又、「端末種別」の欄は、表示可能な文字桁数、格納可能なメッセージの本数、メーカー等によって数値データが細分化されて設定される。
【００７５】
「Ｇ−ＩＤ」は、その会員が属するグループのグループ呼出番号に対応して設定された例えば３桁の数字データであり、予め会員の性別、年齢層、職業等のカテゴリや、ページングサービスを行う送信エリア（地域）等に応じて体系付けられた複数の数字データが用意されている。したがって契約内容（提供を希望する情報内容）に応じて、一会員でも複数の「Ｇ−ＩＤ」を設定することも可能である。なお、本実施の形態で適用される情報提供サービスは、グループ単位での情報の提供であるため、個別呼出用の呼出番号は設定されていない。
又、「有効期限」は、この会員の会員権の有効期限を示す。
【００７６】
Ｇ−ＩＤマスタファイルＦ２のファイル構成は、図１０に示すように、上述の「Ｇ−ＩＤ」と、「グループ呼出番号」と、「コメント」とからなる。
「Ｇ−ＩＤ」は、上述した管理者が任意に設定できる３桁の数字データである。「グループ呼出番号」は、そのグループ単位でアドレスコードデータが割り振られたページャ全てを呼び出すために設定されたグループアドレスに対応する呼出番号が設定され、この呼出番号に基づいてページングセンタ１２で、２１ビットのグループアドレスデータに変換される。「コメント」は、このグループに分類された会員の特徴が判別できるような情報を格納する部分であり、会員の年齢層、性別、送信希望エリアや、送信すべきコンテンツのカテゴリ、例えば、「ビジネス」、「株価」、「ショッピング」、「レストラン」等の文字情報（キーワード）を格納する部分である。
【００７７】
送信スケジュールファイルＦ３のファイル構成は、図１１に示すように、「送信予定時刻」、「コンテンツ番号」、「優先度」と、「Ｇ−ＩＤ」、「送信時間」、「送信ＯＫ／ＮＧ」を１組とした１乃至複数（Ｎ個）の組の各項目からなり、１または複数のＧ−ＩＤ（グループ呼出番号）に対して、同一のコンテンツをページングセンター１２に送信するために定義されるものである。
【００７８】
「送信予定時刻」には、コンテンツをページングセンタ１２に送信する予定日時が１０分単位で設定される。「コンテンツ番号」は、情報提供会社１８Ａ〜１８Ｃから送られたコメントデータＸ２に付されているものであり、後述するコンテンツファイルＦ４に対応して割り付けられる。「優先度」は、送信対象のコンテンツの送信にかかる優先度を示すもので、送信の優先度の高いものから、「１」は緊急、「２」は必送、「３」は通常として「１」〜「３」のいずれかの数値データが設定される。「Ｇ−ＩＤ」は、Ｇ−ＩＤマスタファイルＦ２で規定されている３桁の数字データが設定される。またこの「Ｇ−ＩＤ」に対応づけて「送信時間」、及び「送信ＯＫ／ＮＧ」が設定され、「送信時間」はページングセンタ１２に実際に送信された時間を記憶する。「送信ＯＫ／ＮＧ」は、ページングセンタ１２へ送信した結果、即ち、ページングセンタ１２から返送されるデータに基づいて、今回の送信が成功したか失敗したかの区別を示すフラグを設定する。送信が失敗（ＮＧ）であり、優先度が緊急であった場合には、送信スケジュールが再設定されて再送信され、その送信時間と送信結果も登録される。
なお、後述するように訂正のデータが情報提供会社１８Ａ〜１８Ｃから入力されたときの訂正期限は、「送信予定時刻」から所定時間（例えば、１０分）前であるかどうかによって定められる。
【００７９】
コンテンツファイルＦ４のファイル構成は、図１２に示すように、情報提供会社の識別情報毎に「識別情報」と、「コンテンツ番号」と、「コンテンツ名」と、「コンテンツ」と、「送信指定日」と、「送信指定時刻」と、「コメントデータ」と、「送信期限」との記憶領域を備え、それぞれを格納管理している。
又、どの情報提供会社にも含まれない情報については「その他」の記憶領域に情報を格納する。
【００８０】
「識別情報」は、当該情報（コンテンツ）を供給した情報提供会社１８Ａ〜１８Ｃの識別情報を示すものであり、図７における識別情報Ｘ３にあたる。
「コンテンツ番号」は、情報提供会社１８Ａ〜１８Ｃから送られた情報に付されたコメントデータＸ２中のコンテンツ番号であり、コンテンツと対応付けて記憶される。
【００８１】
「コンテンツ名」は、図８に示すコメントデータＸ２に設定される「コンテンツ名」がそのまま格納される。「コンテンツ」は、情報Ｘ１をページャ１１（Ａ〜Ｉ）が１回に受信可能なデータ長、すなわち図４（Ｃ）のメッセージフィールド（ＭＦ）Ｃ７に入れることが可能なメッセージデータに加工・分割して、これを送信すべき順に格納しているところである。又、これらの加工・分割された各コンテンツは、格納される際には、図１２に示すように、一回毎に送信できるデータ量に応じて、各コンテンツの境界を示す境界符号（図中「／」で示す）で分けられる。
【００８２】
「送信指定日」は、コメントデータＸ２から「送信指定日」を抽出して格納するものである。「送信指定時刻」は、コメントデータＸ２から「送信指定時刻」を抽出して格納するものである。「コメントデータ」は、情報Ｘ１と共に送られたコメントデータＸ２の内、「コンテンツ名」、「コンテンツ番号」、「送信指定日」、「送信指定時刻」、「送信期限」を除いたものをそのまま格納するものである。又「送信期限」は、コメントデータＸ２から「送信期限」を抽出して格納するものである。
【００８３】
ログファイルＦ５は、送信スケジュールを設定した際に自動的に設定されるものであり、送信スケジュールファイルＦ３中のコンテンツ番号と対応して、実際にデータ送信を実行した場合の送信記録を格納するファイルであり、データ送信時や送信ミスのチェックの場合等に参照されるものである。
【００８４】
識別情報テーブルＦ６は、図１３に示されるように、情報提供会社１８Ａ〜１８Ｃから送信される図７〜８に示されるデータをコンテンツファイルＦ４に格納・管理する際、識別情報Ｘ３に設定される識別情報から情報提供会社を特定するための情報提供会社テーブルＦ６１と、コメントデータＸ２内の各データを識別するための識別番号のそれぞれを特定するためのコメントデータテーブルＦ６２とからなる。
【００８５】
このうち、情報提供会社テーブルＦ６１は、図１４に示すように情報提供会社１８Ａ〜Ｃから提供される識別情報Ｘ３と、この識別情報Ｘ３で特定される情報提供会社の社名と、連作先電話番号及びメールアドレス等の連絡先情報が対応付けられて記憶されており、情報提供会社から提供された情報を格納・管理する際に利用される。
【００８６】
又、コメントデータテーブルＦ６２は、図１５に示すようにコメントデータＸ２の各データの先頭部に付けられる識別番号と、その識別番号で特定付けられるコメント内容（各データの種類の名前）とを対応づけて記憶し、情報提供会社から提供された情報を格納・管理する際に利用する。
【００８７】
以下、このように構成されたページングシステムの動作を説明する。
この情報提供システムは、Ａ）ページング動作と、Ｂ）情報提供動作とを行う。
【００８８】
以下、これらの動作を順次説明する。
Ａ−１）  個別呼び出し（通常のページング動作）
図１、図２において、発呼者は、呼び出し対象のページャ１１の呼出番号を電話機１５から入力する。すると、この呼出番号により、電話機１５とページングセンタ１２とが回線接続され、ページングセンタ１２において、この呼出番号は入出力回路３１を経由して切替部３２に供給される。切替部３２は、供給されたデータが呼出番号であることを判別し、この呼出番号を呼出番号照合部３３に供給する。呼出番号照合部３３は、加入者メモリ３４をアクセスして、該当する呼出番号が加入者メモリ３４に登録されているか否かを判別し、判別結果を制御部３７に通知する。
【００８９】
制御部３７は、該当する呼出番号が登録されていないと判別した場合、音声応答回路３５に入力された呼出番号が誤っている旨を音声応答回路３５に出力させる。この出力は、音声による回答アナウンスに変換され、入出力回路３１を介して電話機１５に送信される。その後、入出力回路３１は、接続された回線を切断する。この回答アナウンスにより、発呼者は入力した呼出番号が間違っていたことを認識する。
【００９０】
一方、制御部３７は、入力された呼出番号が加入者メモリ３４に登録されていると判別した場合には、加入者メモリ３４から対応するフレームＮｏ．とアドレスデータとを読み出し、送信データメモリ３６に格納する。このとき、制御部３７は、音声応答回路３５に送信すべきメッセージデータを入力する旨の回答アナウンスを出力させる。この回答アナウンスは、入出力回路３１を介して電話機１５に送信され、出力される。そしてこの電話機１５からの回答アナウンスに従って、発呼者は送信すべきメッセージデータを、ダイアル操作することにより入力する。
【００９１】
入出力回路３１は、入力されたメッセージデータを受け付け、切替部３２に出力する。切替部３２は、入力されたメッセージデータを制御部３７に出力する。制御部３７は、入力されたメッセージデータを送信データメモリ３６に先に入力されたアドレスデータと対応付けて格納する。
【００９２】
又、制御部３７は、送信データメモリ３６に情報加工エンジン１６から新たにデータが入力されたことを検出すると、上記個別呼出動作に割り込みを掛け、一定時間毎に、送信データメモリ３６からグループ呼出番号、及びコンテンツを読み出してメッセージレジスタ３８にセットし、このグループ呼出番号に対応するグループアドレスデータをアドレスレジスタ４０にセットする。更に、ベクトルレジスタ３９にベクトルデータを適宜設定する。更に又、今回のフレームデータ送信に関わる、サイクルＮｏ．フレームＮｏ．や、送信フレームのブロック構成をフレーム／ブロック情報記憶用メモリ４２にフレーム情報（ＦＩ）、及びブロック情報（ＢＩ）として格納する。
【００９３】
制御部３７は、メッセージレジスタ３８、ベクトルレジスタ３９、アドレスレジスタ４０、及びフレーム／ブロック情報記憶用メモリ４２にそれぞれ定義されたデータを格納すると、送信処理制御部４１に送信処理の開始を指示すると共に時刻計時部４３から取得した現在時刻を通知する。
【００９４】
この通知に応答し、送信処理制御部４１は、メッセージレジスタ３８に格納されたメッセージデータ、ベクトルレジスタ３９に格納されたベクトルデータ、アドレスレジスタ４０に格納されたアドレスデータ、及びフレーム／ブロック情報記憶用メモリ４２に格納されたフレーム情報（ＦＩ）、及びブロック情報（ＢＩ）とを読み出して多重化（インタリーブ処理）し、図４（Ｃ）に示すフレーム構成、及び図４（Ｄ）に示すブロック構成で１フレームの送信データを組み立て、図４（Ａ），（Ｂ）に示すフォーマットで送信局１３に送信する。
送信局１３は、受信したフレームをページャ１１（Ａ〜Ｉ）に順次送信する。
【００９５】
図５において、送信局１３から送信されたＦＳＫ搬送波は、自己フレームのフレームＮｏ．の送信タイミングで間欠受信している各ページャ１１のアンテナ５１を介して受信部５２に供給される。受信部５２は、受信データを復調及び検波する。デコーダ５３は、この信号をデコードする。ＣＰＵ５４は、デコードされた信号を一旦バッファメモリ５５に格納する。
【００９６】
デインターリーブ回路５６は、バッファメモリ５５に順次格納されていくデータをブロック単位でインタリーブ回復処理し、ＢＣＨデコーダ５７に出力する。ＢＣＨデコーダ５７は、このインタリーブ回復処理されたデータの誤り訂正を行う。
ＣＰＵ５４は、ＢＣＨデコーダ５７により誤り訂正処理が施されたデータの内、アドレスフィールド（ＡＦ）Ｃ５に設定されているアドレスデータを読み出し、この受信アドレスデータと同じアドレスデータがＩＤ−ＲＯＭ５８に格納されているか否かを判別する。
ＩＤ−ＲＯＭ５８に格納されていない場合には、バッファメモリ５５に格納されているデータはそのページャ宛てではないので、破棄する。
【００９７】
一方、受信したアドレスデータと同じアドレスデータがＩＤ−ＲＯＭ５８に格納されている場合、ＣＰＵ５４はバッファメモリ５５に格納されたデータをＲＡＭ６０に格納する。
ＣＰＵ５４は、ユーザのキー入力部７０のキー操作に応答して、ＲＡＭ６０に格納されたデータの内、メッセージデータを、ベクトルデータによる表示制御内容に応じてドライバ６２を介して表示部６３に表示させる。
このようにして、メッセージデータが表示される。
【００９８】
又、このページャ１１は、受信したメッセージを利用して、加入者が作成した返答メッセージを送信することも可能である。この場合、ユーザは、キー入力部７０を操作して、メッセージ送信先のページャの呼出番号と返答メッセージデータとを、ページャ１１に入力する。ＣＰＵ５４は、入力された呼出番号と返答メッセージデータとを送信データメモリ６１に順次蓄積する。
【００９９】
入力が終了すると、ユーザは、ページャ１１を電話機１５の送話口に近づけて、キー入力部７０から送信を指示する。この指示に応答し、ＣＰＵ５４は、送信データメモリ６１に格納されていた呼出番号とメッセージデータを読み出し、送信バッファ６６にセットする。
【０１００】
送信バッファ６６は、まず、呼出番号を出力する。この呼出番号は、Ｄ／Ａ変換部６７によりアナログ信号に変換され、アンプ６８に供給される。アンプ６８はＬＥＤドライバ６４により駆動され、供給されたアナログ信号をＤＴＭＦ信号に変換し、スピーカから放音する。また、アンプ６８が駆動されている間、ＬＥＤ６５が点灯し、放音中であることを報知する。
【０１０１】
送信されたＤＴＭＦ信号は、公衆回線網１４を介してページングセンタ１２に送信され、入出力回路３１に受付られ、通常の呼び出しと同様に処理される。
ＤＴＭＦ信号により、電話機１５とページングセンタ１２の間で回線接続を確立すると、ＣＰＵ５４は返答メッセージデータをＤＴＭＦ信号に変換して送信する。この返答メッセージデータも通常のメッセージデータの送信と同様に処理され、送信先のページャに送信される。
【０１０２】
Ａ−２）  グループ呼び出し
あるグループに属す複数のページャ１１を呼び出す場合、発呼者は、図１において呼び出し対象となるグループに割り付けられたグループ呼出番号と送信すべきメッセージデータとを電話機１５から入力する。このグループ呼出番号により、電話機１５とページングセンタ１２とが回線接続される。ページングセンタ１２は、個別呼び出し動作の場合と同様に、呼び出し対象のグループのグループアドレスデータとメッセージデータとを含むフレームデータを図４（Ｃ）に示すフォーマットに組み立て、図４（Ａ），（Ｂ）に示すフォーマットで送信局１３に送信する。送信局１３は、この一連のデータを順次送信する。
【０１０３】
各ページャ１１は、送信局１３から送信されたアドレスを受信すると、そのアドレスデータが自己のＩＤ−ＲＯＭ５８に格納されているか否かを判別し、格納されている場合には、そのメッセージを受信し、表示する。
例えば、図３に示すように、ページャ１１Ａ〜１１Ｃがグループ１、ページャ１１Ｄ〜１１Ｆがグループ２、ページャ１１Ｇ〜１１Ｉがグループ３を構成している場合に、グループ１のグループ呼出番号１１−２２２２−３３３３で定義されるグループの呼出依頼を受けた際には、このグループ呼出番号はグループアドレスデータ＃Ｘに変換され、ページャ１１Ａ〜１１Ｃが呼び出される。
【０１０４】
Ｂ）  情報提供動作
情報提供動作は、情報加工エンジン１６から、ページングセンタ１２を経由してページャ１１に情報提供サービスのサービス内容、すなわちコンテンツを送信するための動作であり、ページングセンタ１２からページャ１１へのデータ送信については、Ａ−２）に記載したグループ呼び出し動作と変わるところは無い。ここでは、情報提供動作における情報加工エンジン１６の動作について説明する。
【０１０５】
情報提供動作は、以下の３つの工程で構成される。
（１）情報提供会社１８Ａ〜１８Ｃから提供された情報を情報加工エンジン１６でコンテンツに編集・加工・分割してコンテンツファイルＦ４に登録する工程（２）コンテンツファイルＦ４に蓄積したコンテンツの中から送信すべきコンテンツを抽出し、送信スケジュールに設定する工程
（３）送信スケジュールに設定されたコンテンツ（メッセージデータ）をページャ１１に送信するよう、ページングセンタ１２に依頼する工程
以下、各工程を順番に説明する。
【０１０６】
まず、工程（１）における処理について、図１６のフローチャートを参照して説明する。
このフローチャートの処理は、情報加工エンジン１６の外部データ入力部８１が情報提供会社１８Ａ〜１８Ｃからの情報の入力を検出し、制御部８３に割り込みを要求することによってスタートする。
【０１０７】
処理がスタートすると、まず、外部データ入力部８１から入力した情報（情報Ｘ１、コメントデータＸ２及び識別情報Ｘ３を含む）をデータベース１７のバッファ領域８７に一時記憶する（ステップＳ１１）。
次に、ステップＳ１１でバッファ領域８７に一時記憶した情報から識別情報Ｘ３を抽出し、識別情報テーブルＦ６から抽出した識別情報Ｘ３に対応する識別情報をサーチする（ステップＳ１２）。そして、対応する識別情報が識別情報テーブルＦ６に格納されているかどうかを判別する（ステップＳ１３）。
【０１０８】
ステップＳ１３で対応する識別情報が識別情報テーブルＦ６に格納されていないと判別した場合は、情報加工エンジン１６にて当該情報を受け付けることができない旨のメッセージを付して、その情報を情報提供元へ返送する（ステップＳ１４）。
そして、このフローチャートの処理を終了する。
【０１０９】
ステップＳ１３で対応する識別情報が識別情報テーブルＦ６に格納されていると判別した場合は、さらにステップＳ１１でバッファ領域８７に一時記憶した情報のコメントデータＸ２中のコンテンツ番号を抽出し、コンテンツファイルＦ４から対応するコンテンツ番号をサーチする（ステップＳ１５）。そして、対応するコンテンツ番号がコンテンツファイルＦ４に格納されているかどうかを判別する（ステップＳ１６）。
【０１１０】
ステップＳ１６で対応するコンテンツ番号がコンテンツファイルＦ４に格納されていないと判別した場合は、新規に入力された情報と判断し、ステップＳ１１でバッファ領域８７に一時記憶した情報Ｘ１を、その情報の構成内容にしたがってコンテンツに編集・加工する。すなわち、この情報を前述したメッセージフィールド（ＭＦ）Ｃ７に書き込める文字数以内のメッセージデータに分割して、各メッセージデータ間に境界符号「／」を挿入し、コンテンツファイルＦ４のコンテンツのエリアに書き込む。また、コメントデータＸ２中の「送信期限」、「送信指定日」、「送信指定時刻」をコンテンツファイルＦ４のそれぞれのエリアに、また、コメントデータＸ２中の他のデータをコンテンツファイルＦ４のコメントデータのエリアに書き込む（ステップＳ１７）。
そして、このフローチャートの処理を終了する。
【０１１１】
ステップＳ１６で対応するコンテンツ番号がコンテンツファイルＦ４に格納されていると判別した場合は、後述する工程（２）の処理によって設定された送信スケジュールファイルＦ３からステップＳ１５で抽出したコンテンツ番号と同じコンテンツ番号をサーチする（ステップＳ１８）。そして、対応するコンテンツ番号が送信スケジュールファイルＦ３内に設定されているかどうかを判別する（ステップＳ１９）。
【０１１２】
ステップＳ１９で、対応するコンテンツ番号が送信スケジュールファイルＦ３内に設定されていないと判別した場合は、この情報は、既にコンテンツファイルＦ４に格納されているコンテンツの訂正の情報であると判断する。そして、ステップＳ１１でバッファ領域８７に一時記憶した情報Ｘ１を、その情報の構成内容にしたがってコンテンツに編集・加工する。すなわち、この情報を前述したメッセージフィールド（ＭＦ）Ｃ７に書き込める文字数以内のメッセージデータに分割して、各メッセージデータ間に境界符号「／」を挿入し、コンテンツファイルＦ４の訂正対象となるコンテンツに上書きする。また、コメントデータＸ２中の「送信期限」、「送信指定日」、「送信指定時刻」をコンテンツファイルＦ４のそれぞれのエリアに、また、コメントデータＸ２中の他のデータをコンテンツファイルＦ４のコメントデータのエリアに書き込む。このコメントデータ中には、訂正情報によって訂正の情報であることが書き込まれている（ステップＳ２０）。
そして、このフローチャートの処理を終了する。
【０１１３】
ステップＳ１９で対応するコンテンツ番号が送信スケジュールファイルＦ３内既に設定されている、すなわち送信すべきコンテンツとして既に設定されていると判別した場合は、送信スケジュールファイルＦ３内の「送信予定時刻」と時刻計時部８６が計時した時刻とを参照して、コンテンツの訂正期限前であるかどうかを判別する（ステップＳ２１）。
【０１１４】
ステップＳ２１で訂正期限前でない、すなわち訂正期限を過ぎていると判別したときは、ステップＳ１１でバッファ領域８７に一時記憶した情報Ｘ１を、その情報の構成内容にしたがってコンテンツに編集・加工する。すなわち、この情報を前述したメッセージフィールド（ＭＦ）Ｃ７に書き込める文字数以内のメッセージデータに分割して、各メッセージデータ間に境界符号「／」を挿入し、コンテンツファイルＦ４のコンテンツのエリアに書き込む。また、コメントデータＸ２中の「送信期限」、「送信指定日」、「送信指定時刻」をコンテンツファイルＦ４のそれぞれのエリアに、また、コメントデータＸ２中の他のデータをコンテンツファイルＦ４のコメントデータのエリアに書き込む。そして、新規の情報として扱うため、訂正対象となるコンテンツのコンテンツ番号とは別の番号を割り当て、コンテンツファイルＦ４のコンテンツ番号のエリアに書き込む（ステップＳ２２）。
【０１１５】
次に、ステップＳ２２で新たに割り当てたコンテンツ番号を識別情報Ｘ２で特定された情報提供会社１８Ａ〜１８Ｃの何れかに通知する（ステップＳ２３）。
そして、このフローチャートの処理を終了する。
なお、ステップＳ２３のコンテンツ番号の通知によって、情報提供会社１８Ａ〜１８Ｃは、当該情報をさらに訂正するときは、この通知されたコンテンツ番号をコメントデータＸ２中に入れて情報を送る。
【０１１６】
ステップＳ２１で訂正期限前であると判別したときは、ステップＳ１１でバッファ領域８７に一時記憶した情報Ｘ１を、その情報の構成内容にしたがってコンテンツに編集・加工する。すなわち、この情報を前述したメッセージフィールド（ＭＦ）Ｃ７に書き込める文字数以内のメッセージデータに分割して、各メッセージデータ間に境界符号「／」を挿入し、コンテンツファイルＦ４のコンテンツ番号が対応するコンテンツのエリアに訂正されたコンテンツとして上書きする（ステップＳ２４）。
そして、このフローチャートの処理を終了する。
【０１１７】
次に、工程（２）における処理について、説明する。
コンテンツファイルＦ４内には、情報Ｘ１が分割されたメッセージに対応付けて送信指定日、送信指定時刻が記憶され、管理されている。
オペレータは、例えば、情報加工エンジン１６の操作部８２を操作することによってコンテンツファイルＦ４から送信指定日が１週間以内となっているものを表示部８８に表示させ、操作部８２から所定の操作入力を行うことによって図１１に示した送信スケジュールファイルＦ３を作成する。この送信スケジュールファイルＦ３の作成は、例えば、１日単位で行われる。
【０１１８】
なお、このとき、ステップＳ２０において訂正された情報がコンテンツファイルＦ４に書き込まれているときに、オペレータが送信スケジュールファイルＦ３の作成を開始すると、制御部８３の判断によりコメントデータ中の訂正情報のバージョンが最新のものが優先され、古いものは送信スケジュールファイルＦ３から自動的に取り除かれる。
【０１１９】
次に、工程（３）における処理について、説明する。
制御部８３はメモリ８４に格納されたシステムプログラムの送信プログラムに従って動作し、送信スケジュールファイルＦ３により定義されるスケジュールに従ってページングセンタ１２に送信先のグループ呼出番号とコンテンツ（メッセージデータ）とを送信する。このとき、グループ呼出番号は、コンテンツファイルＦ４内のコメントデータとＧ−ＩＤファイルＦ２のコメントとを比較することによって適切なものが選択される。また、分割されてコンテンツファイルＦ４に記憶されたメッセージデータは、それぞれグループ呼出番号と共に順次ページングセンタ１２に送信される。
【０１２０】
なお、ページングセンタ１２が情報加工エンジン１６から受信したグループ呼出番号をグループアドレスデータに変換し、メッセージデータをページャ１１（Ａ〜Ｉ）に送信する工程は、前述のグループ呼び出しの場合と同じである。
【０１２１】
以上説明したように、この実施の形態では、情報加工エンジン１６は、情報の訂正期限となるまで、自動的に情報を訂正できる。また、訂正期限を過ぎた後も、新たなコンテンツ番号が割り振られるため、オペレータに過重な負荷をかけることなく、その後訂正の情報を送信することができる。
【０１２２】
本発明は、上記の実施の形態に限られるものではなく、上記の実施の形態を様々に変形することが可能である。
以下、本発明に適用可能な上記の実施の形態の変形例について説明する。
【０１２３】
上記の実施の形態では、訂正期限前に訂正の情報が入力されたとき（ステップＳ２１の判別結果がＹＥＳのとき）、ステップＳ２４でコンテンツファイルＦ４のコンテンツのエリアに書き込む情報を上書きして、すべて書き換えていた。しかしながら、このステップＳ２４の処理に代えて、訂正があった部分のみを書き換える処理を行ってもよい。
以下、この訂正があった部分のみを書き換える例について、図１７のフローチャートを参照して説明する。
【０１２４】
訂正期限前に訂正の情報が入力されたとき（ステップＳ２１の判別結果がＹＥＳのとき）、ステップＳ１１でバッファ領域８７に一時記憶した情報Ｘ１を、その情報の構成内容にしたがってコンテンツに編集・加工する。すなわち、この情報を前述したメッセージフィールド（ＭＦ）Ｃ７に書き込める文字数以内のメッセージデータに分割して、各メッセージデータ間に境界符号「／」を挿入し、メモリ８４のワークエリアに転送する（ステップＳ３１）。
【０１２５】
次に、訂正の指示のあったコンテンツ番号、すなわちステップＳ１５で抽出したコンテンツ番号に対応するコンテンをコンテンツファイルＦ４から読み出し、メモリ８４のワークエリアに転送する（ステップＳ３２）。
そして、双方のデータを分割された単位、すなわち境界符号「／」で仕切られた単位毎に一致するかどうかを照合する（ステップＳ３３）。
【０１２６】
そして、双方のデータが相違する部分があると、ステップＳ３１で分割してワークエリアに転送したデータの相違する上記相違する部分を、ステップＳ３１で転送したデータのものに書き換える（ステップＳ３４）。そして、書き換えたコンテンツをコンテンツファイルＦ４の当該部分に書き込む（ステップＳ３５）。
そして、このフローチャートの処理を終了する。
【０１２７】
上記の実施の形態では、情報加工エンジン１６から出力された情報は、ページングセンタ１２から送信局１３に送られ、送信局１３から送信されていた。すなわち、すべて送信局１３の圏内のページャ１１（Ａ〜Ｉ）に送信するものであった。しかしながら、図１８に示すように、複数のページングセンタ１２Ａ〜１２Ｃと送信局１３Ａ〜１３Ｃとを有し、それぞれのローカルエリアＡ〜Ｃに送信するページングシステムにも本発明を適用することができる。この場合、コメントデータＸ２から送信エリアを抽出し、図１９に示すように、コンテンツファイルＦ４’を、さらに送信エリアに基づいて管理すればよい。
【０１２８】
上記の実施の形態では、ページングシステムに本発明を適用した場合について説明した。しかしながら、本発明はこれに限定されるものではなく、他の送受信システム、放送システム等を利用した情報提供システムにも適用することができる。
例えば、本発明をＦＭ文字多重放送システムに適用した場合、図２０の模式図に示すような構成となる。このＦＭ文字多重放送システムの構成は、図１に示すページングシステムの構成とほぼ同じであるが、ページングセンタ１２が放送局９２に、送信局１３が放送アンテナ９３に、ページャ１１（Ａ〜Ｉ）が文字放送受信機９１に置き換えられている。
【０１２９】
情報加工エンジン１６で加工され、管理されている情報は、放送局９２に送られる。
放送局９２は、図１のページングセンタ１２が備える機能を有するが、情報加工エンジン１６から供給された文字放送のデータをＤＡＲＣ方式のフォーマットに従ってＦＭラジオ音声情報に多重化したＦＭ搬送波を放送アンテナ９３から放送する。
文字放送受信機９１は、ＦＭ搬送波から文字情報を分離、復調し、液晶表示装置などからなる表示部に表示する。
【０１３０】
図２０に示したＦＭ文字多重放送システムの情報提供エンジン１６が実行する処理は、上記の実施の形態で説明した「送信」を「放送」に置き換えれば、他は第１の実施の形態のページングシステムの情報提供エンジン１６が実行する処理と実質的に同じである。
【０１３１】
【発明の効果】
以上説明したように、本発明によれば、オペレータの手を介することなく、情報記憶手段（メモリ）に記憶された情報の更新、すなわち受信端末に提供すべき情報を訂正し、且つ、入力された提供すべき日時または時刻の情報にしたがって受信端末に提供することがすることができる。
【０１３２】
しかも、時刻比較手段、判断手段を備えた場合、質的に情報の更新が可能な場合に情報記憶手段に記憶された情報を更新し、また、情報の訂正が実質的に不可能となっても、その情報を訂正の情報として改めて受信端末に送信することができる。このため、可能な限りの情報の訂正が可能となる。
【図面の簡単な説明】
【図１】本発明の実施の形態のページングシステムの構成を模式的に示す図である。
【図２】図１のページングシステムにおけるページングセンタ１２の構成を示すブロック図である。
【図３】図２のページングセンタ１２が備える加入者メモリ３４のメモリ構成を示す図である。
【図４】図１のページングシステムにおいてページングセンタ１２から送信局１３に送られ、無線送信される高度無線呼出システム（ＲＣＲ−ＳＴＤ４３標準規格）のデータのフォーマットを示す図である。
【図５】図１のページングシステムにおけるページャ１１の構成を示すブロック図である。
【図６】図１のページングシステムにおける情報加工エンジン１６とデータベース１７の構成を示すブロック図である。
【図７】図１のページングシステムにおいて、情報提供会社から情報加工エンジン１６に送られる情報のフォーマットを示す図である。
【図８】図７の情報のフォーマットにおいて、コメントデータＸ２に設定されるデータのフォーマットを示す図である。
【図９】図６のデータベース１７内に格納される会員マスタファイルＦ１のファイル構成を示す図である。
【図１０】図６のデータベース１７内に格納されるＧ−ＩＤマスタファイルＦ２のファイル構成を示す図である。
【図１１】図６のデータベース１７内に格納される送信スケジュールファイルＦ３のファイル構成を示す図である。
【図１２】図６のデータベース１７内に格納されるコンテンツファイルＦ４のファイル構成を示す図である。
【図１３】図６のデータベース１７内に格納される識別情報テーブルＦ６のメモリ構成を示す図である。
【図１４】図１３の識別情報テーブルＦ６の情報管理会社テーブルＦ６１の記憶内容を示す図である。
【図１５】図１３の識別情報テーブルＦ６のコメントデータテーブルＦ６２の記憶内容を示す図である。
【図１６】本発明の実施の形態の情報加工エンジン１６における処理を示すフローチャートである。
【図１７】本発明の他の実施の形態の情報加工エンジン１６における処理を示すフローチャートである。
【図１８】本発明の他の実施の形態のページングシステムの構成を模式的に示す図である。
【図１９】本発明の他の実施の形態のコンテンツファイルＦ４’のファイル構成を示す図である。
【図２０】本発明の他の実施の形態のＦＭ文字多重放送システムの構成を模式的に示す図である。
【図２１】従来例のページングシステムの構成を模式的に示す図である。
【図２２】従来例のページングシステムの構成を模式的に示す図である。
【符号の説明】
１１（Ａ〜Ｉ）・・・ページャ、１２・・・ページングセンタ、１３・・・送信局、１４・・・公衆回線網、１５・・・電話機、１６・・・情報加工エンジン、１７・・・データベース、１８Ａ〜１８Ｃ・・・情報提供会社、８１・・・外部データ入力部、８２・・・操作部、８３・・・制御部、８４・・・メモリ、８５・・・送信処理部、８６・・・時刻計時部、８７・・・バッファ領域、８８・・・表示部、Ｆ１・・・会員マスタファイル、Ｆ２・・・Ｇ−ＩＤマスタファイル、Ｆ３・・・送信スケジュールファイル、Ｆ４・・・コンテンツファイル、Ｆ５・・・ログファイル、Ｆ６・・・識別情報テーブル
【図１】
0003777757.tif 000002
【図２】
0003777757.tif 000003
【図３】
0003777757.tif 000004
【図４】
0003777757.tif 000005
【図５】
0003777757.tif 000006
【図６】
0003777757.tif 000007
【図７】
0003777757.tif 000008
【図８】
0003777757.tif 000009
【図９】
0003777757.tif 000010
【図１０】
0003777757.tif 000011
【図１１】
0003777757.tif 000012
【図１２】
0003777757.tif 000013
【図１３】
0003777757.tif 000014
【図１４】
0003777757.tif 000015
【図１５】
0003777757.tif 000016
【図１６】
0003777757.tif 000017
【図１７】
0003777757.tif 000018
【図１８】
0003777757.tif 000019
【図１９】
0003777757.tif 000020
【図２０】
0003777757.tif 000021
【図２１】
0003777757.tif 000022
【図２２】
0003777757.tif 000023